(57)【要約】【課題】簡素な構成で、フィルムに対するスパウトの熱溶着時におけるフィルムのエッジ切れを抑制するスパウトおよびスパウト付きパウチを提供すること。【解決手段】フィルム２１に熱溶着される取付部４０を備えたスパウト３０であって、取付部４０は、基部４１から外周側に突出して形成された複数の溶着フランジ４２とを有し、複数の溶着フランジ４２は、相互間に第１間隙部４３を配して上下方向に並べて形成され、各溶着フランジ４２の熱溶着面４２ａは、表裏方向の両側に、左右方向の中央側から外側に向かうに従って表裏方向の外側から中央側に寄るように形成された平面部４２ｃを左右方向の両側にそれぞれ有し、各溶着フランジ４２の上下幅は、フィルム２１の熱溶着層２１ａの厚み寸法をｔとした場合、１０.０〜４０.０ｔで設定されているスパウト３０。【選択図】図２
2020100429.tif 000002
【特許請求の範囲】
【請求項１】
パウチを構成する表裏のフィルム間に配置され前記フィルムに熱溶着される取付部と、前記取付部の上方に形成され注出孔を有した注出筒部とを備えたスパウトであって、
前記取付部は、前記注出孔に連通する注出孔を有した基部と、前記基部から外周側に突出して形成され前記フィルムに熱溶着される熱溶着面を有した複数の溶着フランジとを有し、
前記複数の溶着フランジは、相互間に第１間隙部を配して上下方向に並べて形成され、
前記熱溶着面は、表裏方向の両側に、左右方向の中央側から外側に向かうに従って表裏方向の外側から中央側に寄るように形成された平面部を左右方向の両側にそれぞれ有し、
前記溶着フランジの上下幅は、前記フィルムの熱溶着層の厚み寸法をｔとした場合、１０.０〜４０.０ｔで設定されていることを特徴とするスパウト。
【請求項２】
複数の前記溶着フランジのうち最下方の前記溶着フランジの上下幅は、他の前記溶着フランジの上下幅よりも大きく設定されていることを特徴とする請求項１に記載のスパウト。
【請求項３】
前記溶着フランジは、３つ以上形成され、
複数の前記第１間隙部のうち最下方の前記第１間隙部の上下幅は、他の前記第１間隙部の上下幅よりも大きく設定されていることを特徴とする請求項１または請求項２に記載のスパウト。
【請求項４】
前記取付部は、前記溶着フランジの左右方向の両外側に形成されたフィン部と、前記第１間隙部に形成された第１接続膜とを有し、
前記フィン部は、複数の前記溶着フランジの左右方向の先端を上下方向に接続するように、複数の前記溶着フランジに共通して形成され、
前記第１接続膜は、前記第１間隙部において、前記基部と前記フィン部とを左右方向に接続するように形成されていることを特徴とする請求項１乃至請求項３のいずれかに記載のスパウト。
【請求項５】
前記スパウトは、複数の前記溶着フランジのうち最上方の前記溶着フランジの上方に第２間隙部を介して形成された上方フランジと、前記第２間隙部において前記基部から左右方向に向けて形成された第２接続膜とを有していることを特徴とする請求項１乃至請求項４のいずれかに記載のスパウト。
【請求項６】
前記第２接続膜の左右方向外側の先端は、前記フィン部の左右方向外側の先端よりも左右方向における内側に位置していることを特徴とする請求項５に記載のスパウト。
【請求項７】
前記スパウトは、前記取付部から下方に向けて延び前記パウチの内側に内容物用の流路を形成するための下方延設部を更に有していることを特徴とする請求項１乃至請求項６のいずれかに記載のスパウト。
【請求項８】
請求項１乃至請求項７のいずれかに記載のスパウトと、前記スパウトの前記取付部に熱溶着される表裏のフィルムを有したパウチとを備えたスパウト付きパウチであって、
前記各フィルムは、互いに対向して配置される最内層としての熱溶着層を有し、
前記熱溶着層の厚みは、５０〜１００μｍであることを特徴とするスパウト付きパウチ。
【発明の詳細な説明】
【技術分野】
【０００１】
本発明は、パウチを構成する表裏のフィルム間に配置されフィルムに熱溶着される取付部を有したスパウトおよびスパウト付きパウチに関する。
【背景技術】
【０００２】
従来、飲料等の内容物を収容する容器として、重ねたフィルムを所定箇所で熱溶着することで袋状に形成したパウチの注出口にスパウトを装着したスパウト付きパウチが広く用いられており（特許文献１を参照）、このようなスパウト付きパウチでは、パウチを構成する表裏のフィルム間にスパウトの取付部を配置し、表裏のフィルムに対してスパウトの取付部を熱溶着することで、パウチにスパウトを取り付けている。
【０００３】
このようなスパウト付きパウチでは、スパウトの取付部に肉抜き部を形成することも知られており、特許文献１に係るスパウト付きパウチでは、スパウトの取付部に、相互間に間隙部を配して複数の溶着フランジ（リブ）が上下方向に並べて形成されている。
このように、スパウトの取付部に肉抜き部（間隙部）を形成することにより、樹脂材料の使用量を低減できることに加えて、フィルムに対するスパウトの熱溶着時に発生しがちな所謂樹脂溜まり（溶融した樹脂が凝固した樹脂の塊）を肉抜き部内に収めることが可能であるため、外部から視認可能な位置（具体的には、パウチ上縁よりも上方）に樹脂溜まりがはみ出すことを抑制できる。
【先行技術文献】
【特許文献】
【０００４】
【特許文献１】特開２０１３−０３２１８４号公報
【発明の概要】
【発明が解決しようとする課題】
【０００５】
ところが、特許文献１に係るスパウト付きパウチのように、スパウトの取付部に、相互間に間隙部を配して複数の溶着フランジを上下方向に並べて形成した場合、各溶着フランジの上下幅が狭くなるため、フィルムに対するスパウトの熱溶着時に、ＰＥ（ポリエチレン）やＰＰ（ポリプロピレン）等から成るフィルムの熱溶着層が熱溶着時の押し付け圧によって押し出されて薄くなり、フィルムに損傷が生じる所謂エッジ切れを生じ易くなるという問題がある。
【０００６】
また、特許文献１に係るスパウト付きパウチでは、スパウトの取付部の形状として所謂舟形形状（具体的には、上下方向に見た場合に、円筒状部の左右方向の両端付近から左右方向の外側に向けて突出する略三角形状の突出部が形成された形状）を採用しているが、この場合、取付部の熱溶着面が曲面から構成されるため、フィルムに対するスパウトの熱溶着時においてフィルムに作用する押し付け圧が不均等になり、上述したエッジ切れが更に生じ易くなるという問題もある。
【０００７】
そこで、本発明は、これらの問題点を解決するものであり、簡素な構成で、フィルムに対するスパウトの熱溶着時におけるフィルムのエッジ切れを抑制するスパウトおよびスパウト付きパウチを提供することを目的とするものである。
【課題を解決するための手段】
【０００８】
本発明のスパウトは、パウチを構成する表裏のフィルム間に配置され前記フィルムに熱溶着される取付部と、前記取付部の上方に形成され注出孔を有した注出筒部とを備えたスパウトであって、前記取付部は、前記注出孔に連通する注出孔を有した基部と、前記基部から外周側に突出して形成され前記フィルムに熱溶着される熱溶着面を有した複数の溶着フランジとを有し、前記複数の溶着フランジは、相互間に第１間隙部を配して上下方向に並べて形成され、前記熱溶着面は、表裏方向の両側に、左右方向の中央側から外側に向かうに従って表裏方向の外側から中央側に寄るように形成された平面部を左右方向の両側にそれぞれ有し、前記溶着フランジの上下幅は、前記フィルムの熱溶着層の厚み寸法をｔとした場合、１０.０〜４０.０ｔで設定されていることにより、前記課題を解決するものである。
また、本発明のスパウトは、前記スパウトと、前記スパウトの前記取付部に熱溶着される表裏のフィルムを有したパウチとを備えたスパウト付きパウチであって、前記各フィルムは、互いに対向して配置される最内層としての熱溶着層を有し、前記熱溶着層の厚みは、５０〜１００μｍであることにより、前記課題を解決するものである。
【発明の効果】
【０００９】
本請求項１に係る発明によれば、各溶着フランジの熱溶着面が、表裏方向の両側に、左右方向の中央側から外側に向かうに従って表裏方向の外側から中央側に寄るように形成された平面部を左右方向の両側にそれぞれ有するとともに、フィルムの熱溶着層の厚み寸法をｔとした場合に各溶着フランジの上下幅を１０.０〜４０.０ｔで設定することにより、フィルムに対するスパウトの熱溶着時において、フィルムに作用する押し付け圧を均等かつ低減することが可能であるため、フィルムの熱溶着層が押し付け圧によって押し出されることに起因してフィルムに損傷が生じる所謂エッジ切れを抑制することができる。
【００１０】
本請求項２に係る発明によれば、最下方の溶着フランジの上下幅が、他の溶着フランジの上下幅よりも大きく設定されていることにより、スパウト付きパウチの落下時やパウチの屈曲時等において、最も大きな力が作用しがちな最下方の溶着フランジの強度を向上することが可能であるため、スパウトの耐久性を向上させることができるばかりでなく、取付部の基部に対する最下方の溶着フランジの傾きを抑制し、スパウトに対するフィルムの溶着時においてフィルムとスパウトとの位置関係を安定させることができる。
本請求項３に係る発明によれば、最下方の第１間隙部の上下幅が、他の第１間隙部の上下幅よりも大きく設定されていることにより、当該最下方の各第１間隙部に対応する、スパウトの射出成形時に使用される金型の凸部の強度を向上させることができ、金型の長寿命化を図ることができる。すなわち、最下方の各第１間隙部に対応する金型の凸部が、射出成形時の樹脂の流動に起因した圧力を大きく受ける箇所になる場合があるが、本請求項３に係る発明では、当該最下方の各第１間隙部に対応する金型の凸部の上下幅が大きく設定されるため、当該金型の凸部の耐久性を向上させ、金型の長寿命化を図ることができる。
本請求項４に係る発明によれば、溶着フランジの左右方向の両外側にフィン部を形成することにより、溶着フランジの左右方向の両端付近において生じがちな表裏のフィルム間の間隙をフィン部によって埋めることができるばかりでなく、以下の効果を奏することができる。すなわち、本請求項４に係る発明では、第１間隙部に、基部とフィン部とを左右方向に接続する第１接続膜を設けることにより、スパウトの射出成形時に、第１接続膜に対応する金型の空隙を利用して基部側からフィン部側に溶融樹脂を良好に流動させることが可能であるため、フィン部の形成精度を向上させることができる。また、本請求項４に係る発明では、第１間隙部に形成された第１接続膜によって、フィルムに対するスパウトの熱溶着時に発生しがちな所謂樹脂溜まりが表裏方向の一方側から他方側に流動することを阻止できるため、樹脂溜まりの位置を制御することが容易になる。また、本請求項４に係る発明では、第１間隙部に設ける部位を膜状とすることにより、樹脂材料の使用量の増加を抑えることができ、また、射出成形に用いられる表裏の金型を第１間隙部において当接させる必要がないため、金型の形成精度に関する要求を低下させることができる。
本請求項５に係る発明によれば、最上方の溶着フランジと上方フランジとの間の第２間隙部に、基部から左右方向に向けて形成された第２接続膜を設けることにより、フィルムに対するスパウトの熱溶着時に発生しがちな樹脂溜まりが、第２間隙部において、表裏方向の一方側から他方側に流動することを阻止できるため、樹脂溜まりの位置を制御して、外部から視認可能なフィルム上縁の上方に樹脂溜まりがはみ出すことを抑制できる。また、本請求項５に係る発明では、第２間隙部に設ける部位を膜状とすることにより、樹脂材料の使用量の増加を抑えることができ、また、射出成形に用いられる表裏の金型を第２間隙部において当接させる必要がないため、金型の形成精度に関する要求を低下させることができる。
本請求項６に係る発明によれば、第２接続膜の左右方向外側の先端が、フィン部の左右方向外側の先端よりも左右方向における内側に位置していることにより、フィルムに対するスパウトの熱溶着時に発生しがちな樹脂溜まりを、第２接続膜の左右方向外側のスペースに収めることが可能であるため、外部から視認可能なフィルム上縁の上方に樹脂溜まりがはみ出すことを抑制でき、特に、フィン部を溶融させた樹脂が上方側に移動してフィルム上縁の上方にはみ出すことを抑制できる。
本請求項７に係る発明によれば、取付部から下方に向けて延びる下方延設部をスパウトに形成した場合であっても、スパウトの射出成形時におけるヒケ発生を容易に抑制することができる。すなわち、下方延設部をスパウトに形成した場合、スパウトの取付部の下面側の設計に制限が加わるため、下方延設部をスパウトに形成しない場合と比較して、射出成形時におけるヒケ発生を抑制するためのスパウト各部の肉厚の設定が難しくなるが、本請求項７に係る発明では、溶着フランジ間に第１間隙部を形成することにより、スパウト各部の肉厚を調整することが可能であるため、下方延設部をスパウトに形成した場合であっても、ヒケ発生を容易に抑制することができる。
【図面の簡単な説明】
【００１１】
【図１】本発明の一実施形態に係るスパウト付きパウチを示す説明図。
【図２】スパウト本体を示す斜視図。
【図３】スパウト本体の取付部の周辺を拡大して示す斜視図。
【図４】図３とは異なる角度から見て取付部の周辺を拡大して示す斜視図。
【図５】スパウト本体を平面視して示す説明図。
【図６】スパウト本体の各部を示す断面図。
【発明を実施するための形態】
【００１２】
以下に、本発明の一実施形態に係るスパウト付きパウチ１０について、図面に基づいて説明する。
【００１３】
スパウト付きパウチ１０は、図１に示すように、重ねた表裏のフィルム２１を所定箇所で熱溶着することで袋状に形成されたパウチ２０に、注出口として機能するスパウト３０を装着して構成されたものである。
【００１４】
以下、スパウト付きパウチ１０の各構成要素について、図面に基づいて説明する。
【００１５】
パウチ２０を構成する表裏のフィルム２１は、図１に示すように、製袋時に互いに対向して配置される最内層として、ＰＥ（ポリエチレン）やＰＰ（ポリプロピレン）等から成る熱溶着層２１ａを有している。熱溶着層２１ａは、５０〜１００μｍの厚みで形成され、スパウト３０の取付部４０に熱溶着される層としても機能する。
【００１６】
また、本実施形態では、ＰＥやＰＰ等から成る熱溶着層溶着層２１ａの外側に形成される外層として、内側から順に、ナイロン層（１２〜２５μｍ）、アルミニウム層（７〜９μｍ）、ＰＥＴ（ポリエチレンテレフタレート）層（９〜１２μｍ）が形成されている。
なお、フィルム２１の具体的な構成はこれに限定されず、例えば、アルミニウム層（７〜９μｍ）を形成しないもの等、如何なるものでもよい。
【００１７】
スパウト３０は、射出成形によって合成樹脂から形成され、図１に示すように、パウチ２０に装着されるスパウト本体３１と、スパウト本体３１に着脱可能にねじ係合によって取り付けられるキャップ部３５とを有している。
【００１８】
スパウト本体３１は、図１や図２に示すように、パウチ２０を構成する表裏のフィルム２１間に配置され各フィルム２１に熱溶着される取付部４０と、取付部４０から上方に向けて延びる注出筒部３２と、取付部４０から下方に向けて延びパウチ２０の内側に配置される下方延設部３３と、取付部４０の上方に形成される上方フランジ３４とを一体に有している。
【００１９】
注出筒部３２は、図１や図２に示すように、丸孔状の注出孔３２ａを有した円筒状の部位である。注出筒部３２の外周面には、図２に示すように、キャップ部３５に係合可能なネジ部３２ｂが形成されている。
【００２０】
下方延設部３３は、図１に示すように、パウチ２０の内部に配置され、パウチ２０の内部に内容物を注出するための流路を形成するための部位である。
【００２１】
上方フランジ３４は、図１に示すように、取付部４０の上方において注出筒部３２の外周側に突出した部位であり、本実施形態では、複数（２つ）の上方フランジ３４が、上下方向Ｚに間隔をおいて形成されている。
【００２２】
キャップ部３５は、スパウト本体３１のネジ部３２ｂに係合可能なネジ部（図示しない）をその内周面に有し、上下軸を中心としてスパウト本体３１に対してキャップ部３５を回転させることで、キャップ部３５に対して開栓および閉栓されるように構成されている。
【００２３】
取付部４０は、表裏のフィルム２１に熱溶着される部位であり、図３〜図６に示すように、注出筒部３２の注出孔３２ａに連通する丸孔状の注出孔４１ａを有した円筒状の基部４１と、相互間に第１間隙部４３を配して上下方向Ｚに並べて形成された複数の溶着フランジ４２と、第１間隙部４３に形成された第１接続膜４４と、溶着フランジ４２の左右方向Ｘの両外側に形成されたフィン部４５と、最上方の溶着フランジ４２と上方フランジ３４の間の第２間隙部４６に形成された第２接続膜４７とを有している。
【００２４】
溶着フランジ４２は、図３や図６に示すように、基部４１から外周（左右方向Ｘおよび表裏方向Ｙ）側に突出して形成された部位であり、表裏のフィルム２１に接触して配置される熱溶着面４２ａを有している。
【００２５】
熱溶着面４２ａは、図６（ｃ）に示すように、上下方向Ｚに見た場合に略菱形状に形成され、具体的には、左右方向Ｘの中央に形成された曲面部４２ｂと、曲面部４２ｂの左右方向Ｘの両側に形成された平面部４２ｃとを、表裏方向Ｙの両側にそれぞれ有している。
各平面部４２ｃは、図６（ｃ）に示すように、左右方向Ｘの中央側から外側に向かうに従って表裏方向Ｙの外側から中央側に寄るように平面状に（上下方向Ｚから見た場合に直線状に延びるように）形成され、また、曲面部４２ｂは、左右の平面部４２ｃ間を滑らかに接続するように凸状の曲面状に形成されている。
なお、本実施形態では、左右の平面部４２ｃの間を曲面部４２ｂによって接続しているが、熱溶着面４２ａの具体的態様はこれに限定されず、例えば、左右の平面部４２ｃ間を平面部によって接続してもよい。
【００２６】
各溶着フランジ４２の上下方向Ｚにおける上下幅は、本実施形態では、１．０〜２．０ｍｍで設定され、言い替えると、フィルム２１の熱溶着層２１ａの厚み寸法（５０〜１００μｍ）をｔとした場合、１０.０〜４０.０ｔで設定されている。
また、各溶着フランジ４２の上下方向Ｚにおける上下幅は、最上方の溶着フランジ４２の上端縁から最下方の溶着フランジ４２の下端縁までの寸法（７．０〜１２．０ｍｍ）の４％以上に設定するのが望ましい。
また、本実施形態では、複数の溶着フランジ４２のうち最下方の溶着フランジ４２の上下幅は、他の（２つの）溶着フランジ４２の上下幅よりも大きく設定されている。さらに、最下方の溶着フランジ４２の下側角部は、Ｒ取りがされており、パウチ取り扱い時にフィルムと角部との接触を緩和し、エッジ切れを抑制している。
【００２７】
また、本実施形態では、図３や図４に示すように、第１間隙部４３が上下方向Ｚに複数（２つ）形成され、複数の第１間隙部４３のうち最下方の第１間隙部４３の上下幅は、他の第１間隙部４３の上下幅よりも大きく設定されている。
なお、各第１間隙部４３の上下方向Ｚにおける上下幅は、０．５〜２．０ｍｍで設定されている。
【００２８】
第１接続膜４４は、図３や図６に示すように、左右方向Ｘおよび上下方向Ｚに対して平行に形成された膜状の部位である。
第１接続膜４４は、図３や図４に示すように、上下の溶着フランジ４２間を上下方向Ｚに接続するとともに、基部４１（の表裏方向Ｙにおける中央部）とフィン部４５とを左右方向Ｘに接続するように形成されている。
第１接続膜４４の厚み（表裏方向Ｙにおける厚み）は、全域に亘って均等（またはほぼ均等）に０．３〜１．５ｍｍで形成されている。
【００２９】
フィン部４５は、図３や図４に示すように、溶着フランジ４２の左右方向Ｘの両外側において、複数の溶着フランジ４２の左右方向Ｘの先端を上下方向Ｚに接続するように、複数の溶着フランジ４２に共通して形成された膜状の部位である。
フィン部４５は、図６（ｂ）に示すように、第１接続膜４４の左右方向Ｘの外側端部に連続して形成されている。
フィン部４５の厚みは、図６に示すように、左右方向Ｘの外側に向かうに従って薄くなるように形成され、フィン部４５のうち第１接続膜４４側の部分の厚みは、第１接続膜４４の厚みと同じに（またはやや薄く）形成されている。
フィン部４５は、表裏のフィルム２１に対するスパウト３０の溶着時に、一旦は溶融される部位になる。
【００３０】
第２接続膜４７は、図３や図４に示すように、各第２間隙部４６において、左右方向Ｘおよび上下方向Ｚに対して平行に形成された膜状の部位である。
第２接続膜４７は、図６（ａ）に示すように、基部４１（の表裏方向Ｙにおける中央部）から左右方向Ｘに向けて形成され、上方フランジ３４と最上方の溶着フランジ４２とを上下方向Ｚに接続するように形成されている。
第２接続膜４７の左右方向Ｘの外側端部は、図６（ａ）に示すように、左右方向Ｘの外側に向かうに従って薄くなるように形成され、また、この第２接続膜４７の左右方向Ｘの外側端部を除いて、第２接続膜４７の厚みは、第１接続膜４４の厚みと同じ（またはほぼ同じ）に設定されている。
また、第２接続膜４７の左右方向Ｘの外側の先端は、図３〜５に示すように、フィン部４５の左右方向Ｘの外側の先端よりも、左右方向Ｘにおける内側に位置している。
また、第２間隙部４６の上下方向Ｚにおける上下幅は、０．５〜１．５ｍｍで設定されている。
【００３１】
以上、本発明の実施形態を詳述したが、本発明は上記実施形態に限定されるものではなく、特許請求の範囲に記載された本発明を逸脱することなく種々の設計変更を行なうことが可能である。
【００３２】
例えば、スパウト３０の取付部４０に熱溶着される表裏のフィルム２１は、互いに分離した別個のフィルムから構成されていてもよく、一枚の連続したフィルムとして構成されていてもよい。
また、上述した実施形態では、複数の溶着フランジ４２のうち最下方の溶着フランジ４２の上下幅が、他の溶着フランジ４２の上下幅よりも大きく設定されているものとして説明したが、各溶着フランジ４２の上下幅の設定は、実施態様に応じて任意に設定すればよく、例えば、全ての溶着フランジ４２の上下幅を同じ寸法で設定してもよい。
また、同様に、上述した実施形態では、複数の第１間隙部４３のうち最下方の第１間隙部４３の上下幅は、他の第１間隙部４３の上下幅よりも大きく設定されているものとして説明したが、各第１間隙部４３の上下幅の設定は、実施態様に応じて任意に設定すればよく、例えば、全ての第１間隙部４３の上下幅を同じ寸法で設定してもよい。
また、上述した実施形態では、溶着フランジ４２が上下方向Ｚに３つ形成されているものとして説明したが、溶着フランジ４２の数量については２つ以上であればよく、また、同様に、第１間隙部４３の数量については１つ以上であればよい。
【符号の説明】
【００３３】
１０    ・・・  スパウト付きパウチ
２０    ・・・  パウチ
２１    ・・・  フィルム
２１ａ  ・・・  熱溶着層
３０    ・・・  スパウト
３１    ・・・  スパウト本体
３２    ・・・  注出筒部
３２ａ  ・・・  注出孔
３２ｂ  ・・・  ネジ部
３３    ・・・  下方延設部
３４    ・・・  上方フランジ
３５    ・・・  キャップ部
４０    ・・・  取付部
４１    ・・・  基部
４１ａ  ・・・  注出孔
４２    ・・・  溶着フランジ
４２ａ  ・・・  熱溶着面
４２ｂ  ・・・  曲面部
４２ｃ  ・・・  平面部
４３    ・・・  第１間隙部
４４    ・・・  第１接続膜
４５    ・・・  フィン部
４６    ・・・  第２間隙部
４７    ・・・  第２接続膜
Ｘ    ・・・  左右方向
Ｙ    ・・・  表裏方向
Ｚ    ・・・  上下方向
【図１】
2020100429.tif 000003
【図２】
2020100429.tif 000004
【図３】
2020100429.tif 000005
【図４】
2020100429.tif 000006
【図５】
2020100429.tif 000007
【図６】
2020100429.tif 000008